(57)【要約】  本発明は、特に高密度ヘッダシステム用の電気コネクタを形成する方法に関し、第１のステップＳ１でベース体を設ける。第２のステップＳ２および第３のステップＳ３で、ベース体の第１の表面に当接する少なくとも１つの封止マットと、第１のコンタクト領域、保持領域、および保持領域に隣接する第２のコンタクト領域を有する少なくとも１つのコンタクト素子とが設けられる。ステップＳ４で、封止マットは、少なくとも１つのコンタクト素子によって穿孔され、第２のコンタクト領域を有する少なくとも１つのコンタクト素子が、ベース体とは反対側から封止マットを通ってベース体の少なくとも１つの対応する受取り開口に挿入された後、第２のコンタクト領域は、所望の最終位置でベース体の受取り開口に固定される。本発明はさらに、電気コネクタに関する。【選択図】図１
2021527309.tif 000002
【特許請求の範囲】
【請求項１】
特に高密度ヘッダシステム用の電気コネクタ（１００）を形成する方法であって、
ベース体（１１０）を設けるステップＳ１と、
前記ベース体（１１０）の第１の表面（１１２）に当接する少なくとも１つの封止マット（１３０）を設けるステップＳ２と、
第１のコンタクト領域（１４２）、保持領域（１４４）、および前記保持領域（１４４）に隣接する第２のコンタクト領域（１４６）を有する少なくとも１つのコンタクト素子（１４０）を設けるステップＳ３と、
前記少なくとも１つのコンタクト素子（１４０）によって前記封止マット（１３０）を穿孔するステップＳ４とを含み、前記第２のコンタクト領域（１４６）を有する前記少なくとも１つのコンタクト素子（１４０）が、前記ベース体（１１０）とは反対側から前記封止マット（１３０）を通って前記ベース体（１１０）の少なくとも１つの対応する受取り開口（１５０）に挿入された後、前記第２のコンタクト領域（１４６）は、所望の最終位置で前記ベース体（１１０）の前記受取り開口（１５０）内に固定される、方法。
【請求項２】
前記封止マット（１３０）は、前記少なくとも１つのコンタクト素子（１４０）によって穿孔される前に、前記少なくとも１つの受取り開口（１５０）と境界を接する前記封止マット（１３０）の領域内に連続面を有すしていることを特徴とする、請求項１に記載の方法。
【請求項３】
前記封止マット（１３０）は、前記少なくとも１つのコンタクト素子（１４０）によって穿孔される前に、前記受取り開口（１５０）と境界を接する前記封止マット（１３０）の領域内で事前穿孔され、前記事前穿孔された孔の直径は、前記少なくとも１つのコンタクト素子（１４０）の直径より小さいことを特徴とする、請求項１に記載の方法。
【請求項４】
前記穿孔は、前記封止マット（１３０）が前記コンタクト素子（１４０）の前記保持領域（１４４）を少なくとも局所的に密閉するように行われることを特徴とする、請求項１から３のいずれか一項に記載の方法。
【請求項５】
前記穿孔は、前記封止マット（１３０）が前記コンタクト素子（１４０）の前記保持領域（１４４）に沿って前記受取り開口（１５０）に局所的に突出するように行われることを特徴とする、請求項１から４のいずれか一項に記載の方法。
【請求項６】
前記コンタクト素子（１４０）は、前記コンタクト素子（１４０）が前記封止マット（１３０）と前記ベース体（１１０）との間で圧縮を生じ、その結果、前記ベース体（１１０）と前記コンタクト素子（１４０）との間で封止が得られるように形成されることを特徴とする、請求項１から５のいずれか一項に記載の方法。
【請求項７】
前記少なくとも１つの封止マット（１３０）への前記コンタクト素子（１４０）の前記挿入の結果、前記ベース体（１１０）の前記受取り開口（１５０）の領域内で前記封止マット（１３０）の局所的な塑性変形が得られることを特徴とする、請求項１から６のいずれか一項に記載の方法。
【請求項８】
対応する嵌合コネクタとのプラグ接続を形成する電気コネクタ（１００）、特に自動車産業用の電気コネクタ（１００）であって、
ベース体（１１０）と、
前記ベース体（１１０）の第１の表面（１１２）に配置された封止マット（１３０）とを有し、
第１のコンタクト領域（１４２）、保持領域（１４４）、および前記保持領域（１４４）に隣接する第２のコンタクト領域（１４６）を有する少なくとも１つのコンタクト素子（１４０）をさらに有し、前記第２のコンタクト領域（１４６）を有する前記少なくとも１つのコンタクト素子（１４０）は、前記封止マット（１３０）を通って前記ベース体（１１０）の対応する受取り開口（１５０）に挿入されている、電気コネクタ（１００）。
【請求項９】
前記封止マット（１３０）は、前記受取り開口（１５０）へ少なくとも局所的に突出していることを特徴とする、請求項８に記載の電気コネクタ（１００）。
【請求項１０】
前記受取り開口（１５０）は、前記ベース体（１１０）内に事前成形された止まり穴であることを特徴とする、請求項８または９に記載の電気コネクタ（１００）。
【請求項１１】
前記封止マット（１３０）は、エラストマーから形成されていることを特徴とする、請求項８から１０のいずれか一項に記載の電気コネクタ（１００）。
【請求項１２】
前記電気コネクタ（１００）は、複数のコンタクト素子（１４０）を有することを特徴とする、請求項８から１１のいずれか一項に記載の電気コネクタ（１００）。
【請求項１３】
前記電気コネクタ（１００）は、複数の封止マット（１３０）を有することを特徴とする、請求項８から１１のいずれか一項に記載の電気コネクタ（１００）。
【請求項１４】
前記電気コネクタ（１００）は、ケーブルのためのプラグコネクタ、内蔵コネクタ、ハウジングコネクタ、またはフライングプラグコネクタとして形成されていることを特徴とする、請求項８から１２のいずれか一項に記載の電気コネクタ（１００）。
【請求項１５】
前記コネクタ（１１０）は、請求項１から７のいずれか一項に記載の方法によって形成されていることを特徴とする、請求項８から１４のいずれか一項に記載の電気コネクタ（１００）。
【請求項１６】
請求項８から１５のいずれか一項に記載の電気コネクタ（１００）を備えることを特徴とする高密度ヘッダシステム。
【発明の詳細な説明】
【技術分野】
【０００１】
本発明は、電気コネクタ、特に高密度ヘッダシステム用の電気コネクタを形成する方法に関する。本発明はさらに、電気コネクタ、特に自動車産業用の電気コネクタ、ならびに高密度ヘッダシステムに関する。
【背景技術】
【０００２】
電気産業（電子機器、電気工学、電気機器、電力工学など）では、広範囲の電流、電圧、周波数、および／またはデータ率で電流、電圧、信号、および／またはデータを伝送する働きをする多数の電気コネクタ、ソケット、ピン、および／またはハイブリッドコネクタなど（以下、（電気）コネクタ（同様に嵌合コネクタ）と呼ぶ）が知られている。
【０００３】
低、中、または高電圧および／または電流範囲内で、特に自動車産業において、そのようなコネクタは、温暖な、おそらくは高温の、汚染された、湿気の多い、かつ／または化学的に腐食性の環境で、恒久的に、繰返し、かつ／または比較的長い非活動期間後に、電力、信号、および／またはデータの伝送をすぐに保証しなければならない。適用範囲が広いため、多数の特別に構成されたコネクタが知られている。
【０００４】
そのようなコネクタ、およびおそらくはその関連または親ハウジングは、電気ケーブル、ワイヤ、ケーブルハーネスなどに、あるいは（電力）電気、電気光学、もしくは電子構成要素または対応するアセンブリなどの、たとえばハウジング、リードフレーム、プリント回路基板などの電気デバイスまたは装置に設置することができる。
【０００５】
コネクタ（ハウジングの有無にかかわらない）がケーブル、ワイヤ、またはケーブルハーネスに位置する場合、これは、（フライング（ｆｌｙｉｎｇ））（プラグ）コネクタまたはプラグまたは継手としても知られており、コネクタが電気、電気光学、または電子構成要素、アセンブリなどに位置する場合、これは、たとえば（内蔵）コネクタ、（内蔵）プラグ、または（内蔵）ソケットなどの（嵌合）コネクタデバイスとしても知られている。さらに、そのようなデバイスのコネクタは、多くの場合、（プラグ）レセプタクル、ピントレイ、ピンストリップ、またはヘッダとも呼ばれる。
【０００６】
そのようなコネクタは、障害のない電気の伝送を保証しなければならず、互いに対応して互いに部分的に相補的なコネクタ（コネクタおよび嵌合コネクタ）は通常、コネクタを嵌合コネクタにまたはその逆に、恒久的に、しかし概して解放可能に固定および／またはロックするための固定および／またはロックデバイスを有する。
【０００７】
電気コネクタデバイスまたはコネクタを改善するために、特に電気コネクタデバイスまたはコネクタをより頑強なものにし、電気コネクタデバイスまたはコネクタをより安価に形成および／または作製できるように、絶え間のない取り組みがなされている。
【０００８】
したがって、コンタクト素子を有する電気コネクタが、従来技術から知られており、電気コネクタは、コンタクトチャンバ内に、たとえばシリンダヘッド壁内に、電気的に絶縁されて配置される。コンタクトチャンバとコンタクト素子との間の対応する台座内に取り付けられたＯリングによって、コンタクトチャンバは、流体が逃れられないように封止される。隔壁の両側では、いずれの場合も電気導体がコンタクトピンのコンタクト部に接合されており、したがってコンタクトピンを介して電気信号を伝送することができる。
【０００９】
このようにして、たとえば内燃機関または歯車機構などの現代のアセンブリでは、コンタクトチャンバを介した油または他の流体の流出が事実上防止されているが、伝送すべき信号の数はますます増大している。したがって、ますます増大する数のセンサがアセンブリ内で使用され、または機械式の弁装置が電磁式の弁装置に置き換えられている。伝送すべき各信号に対してコンタクトピンが必要とされ、多くの場合、プラグコネクタを取り付けるためにわずかな面積しか利用可能でないため、コンタクトチャンバの間隔のサイズをさらに低減させなければならない。現在まで、従来技術において、この問題は、コンタクトピン間に可能な限り小さい格子を形成することによって解決されてきたが、それによりコンタクトチャンバ間の間隔およびコンタクト素子の直径の両方のサイズが低減されてきた。その結果、電気コネクタ上でコンタクト素子を封止するために、多くの非常に小さいＯリングを使用しなければならず、その取付けは困難で時間がかかる。
【００１０】
さらに、本質的に誘電体のベース体からなる電気コネクタが知られており、これには通常、導電性コンタクト素子を受け取るのに好適な多数の受取り開口が設けられる。導電性コンタクト素子は、電子構造部分を接続するために設けられる。ベース体は、たとえば、有利な機械的特性ならびに良好な耐薬品性および耐熱性を有するため、ポリマー材料またはエポキシ樹脂から形成される。さらに、ベース体は実質上、コンタクト素子を保持および位置合わせする働きをし、他の電気構成要素に機械的に結合するための手段を提供する。
【００１１】
電気コンタクト素子は、たとえば単線コードからなり、その一端は、たとえばプリント回路基板または嵌合ピースコネクタに接続され、その他端は、たとえば電子機器に接続される。この場合、コンタクト素子は、設けられたベース体の受取り開口に挿入され、たとえばプレス嵌めによって、確実な機械的接続が形成されるように、受取り開口で保持および位置合わせされる。
【００１２】
電気コネクタの応用例に応じて、たとえば液密接続を保証するために、ベース体においてコンタクト素子の構成をカプセル封じすることが必要になることがある。これは特に、車両内の様々な電子機器を接続するために電気コネクタがエンジン室内で頻繁に使用されるモータ車両の応用例に当てはまる。当技術分野では、これは通常、「注封」として知られている方法によって実現される。注封とは、組み立てられた電気コネクタを充填する操作を意味する。この場合、コンタクト素子がベース体のそれぞれの受取り開口に挿入された後、液体封止剤がコンタクト素子に供給される。この場合、液体封止剤は様々な間隙または開口に流れ込み、コンタクト素子およびベース体を封止する。この場合、「注封」法は、一方では高価であり、他方では非常に時間もかかることが不都合であることが判明している。
多くの場合、樹脂の硬化には時間がかかり、さらにベース体の外面の望ましくない変化が生じ、その結果、手作業による修正が必要となり、これも同様に時間がかかり高価である。さらに、いくつかの封止用の注封化合物は、特定のベース体材料に対して他の材料の場合より良好に機能するため、注封によって形成される封止の品質は、鋳造部分の形状および使用される材料に依存する。さらに、注封には作業場の安全に関して厳しい要件があり、環境上の問題を招く可能性がある。さらに、注封は、接着材料の供給および取扱いのために必要とされる機器に対する相当の投資を必要とする。
【発明の概要】
【発明が解決しようとする課題】
【００１３】
したがって、本発明の問題は、上述した欠点を改善し、コンタクト素子の数に依存することなく簡単に形成することができ、処理中により迅速かつ安価に取り付けることができる、電気コネクタを形成する方法ならびに電気コネクタを提供することである。
【課題を解決するための手段】
【００１４】
本発明の問題は、独立請求項に記載の電気コネクタを形成する方法、ならびに対応する嵌合コネクタへのプラグ接続を形成する電気コネクタ、特に自動車産業用の電気コネクタによって解決される。
【００１５】
本発明の有利なさらなる発展形態、追加の特徴、および／または利点は、従属請求項および以下の説明から得られる。
【００１６】
電気コネクタを形成する本発明の方法は、第１のステップＳ１で、ベース体を設ける。第２のステップＳ２および第３のステップＳ３で、ベース体の第１の表面に当接する少なくとも１つの封止マットと、第１のコンタクト領域、保持領域、および保持領域に隣接する第２のコンタクト領域を有する少なくとも１つのコンタクト素子とが設けられる。ステップＳ４で、封止マットは、少なくとも１つのコンタクト素子によって穿孔され、第２のコンタクト領域を有する少なくとも１つのコンタクト素子が、ベース体とは反対側から封止マットを通ってベース体の少なくとも１つの対応する受取り開口に挿入された後、第２のコンタクト領域は、所望の最終位置でベース体の受取り開口に固定される。
【００１７】
この点に関して、封止マットは、少なくとも１つのコンタクト素子によって穿孔される前に、受取り開口と境界を接する封止マットの領域内に連続面を有することができる。
【００１８】
代替として、封止マットは、少なくとも１つのコンタクト素子によって穿孔される前に、受取り開口と境界を接する封止マットの領域内で事前穿孔することができ、事前穿孔された孔の直径は、少なくとも１つのコンタクト素子の直径より小さい。
【００１９】
封止マットを通る少なくとも１つのコンタクト素子の穿孔は、封止マットがコンタクト素子の保持領域を少なくとも局所的に密閉するように行うことができることが有利である。
【００２０】
さらに、封止マットを通る少なくとも１つのコンタクト素子の穿孔は、封止マットが少なくとも１つのコンタクト素子の保持領域に沿った領域内で受取り開口に突出するように行うことができる。
【００２１】
有利な実施形態では、少なくとも１つのコンタクト素子は、少なくとも１つのコンタクト素子が封止マットとベース体との間で圧縮を生じ、その結果、ベース体と少なくとも１つのコンタクト素子との間で封止を得ることができるように形成することができる。
【００２２】
この場合、少なくとも１つの封止マットへの少なくとも１つのコンタクト素子の挿入の結果、ベース体の受取り開口の領域内で封止マットの局所的な塑性変形を得ることができることが有利であることが判明している。
【００２３】
本発明のさらなる主題は、対応する嵌合コネクタとのプラグ接続を形成する特に自動車産業用の本発明の電気コネクタ、特に高密度ヘッダシステム用の電気コネクタによって形成され、そのような電気コネクタは、ベース体と、ベース体の第１の表面に配置された封止マットとを有する。さらに、電気コネクタは、第１のコンタクト領域、保持領域、および保持領域に隣接する第２のコンタクト領域を有する少なくとも１つのコンタクト素子を有し、第２のコンタクト領域を有する少なくとも１つのコンタクト素子は、封止マットを通ってベース体の対応する受取り開口に挿入される。
【００２４】
特に好ましい実施形態の変形例では、封止マットは、受取り開口へ少なくとも局所的に突出することができる。
【００２５】
さらに、受取り開口は、ベース体内に事前成形された止まり穴であることが有利である。
【００２６】
基本的に、封止マットはエラストマーから形成されることが有利であることが分かっている。
【００２７】
好ましくは、電気コネクタは、複数のコンタクト素子を有することができる。
【００２８】
この場合、電気コネクタが複数の封止マットを有すると有利である。
【００２９】
好ましい実施形態では、電気コネクタは、ケーブルのためのプラグコネクタ、内蔵コネクタ、ハウジングコネクタ、またはフライングプラグコネクタ（ｆｌｙｉｎｇ  ｐｌｕｇ  ｃｏｎｎｅｃｔｏｒ）として形成することができる。本発明のコネクタは、たとえば、シリアル通信システム、センサ、アクチュエータなどのネットワーキングまたは相互接続、自動車のドア、座席など中の周囲照明（室内照明、乗室照明）などに適用可能である。
【００３０】
本発明の一実施形態では、請求項１から７のいずれか一項に記載の方法によってコネクタが形成されることが提供される。
【００３１】
本発明のさらなる主題は、本発明の高密度ヘッダシステムによって形成され、そのようなヘッダシステムは、請求項８から１５のいずれか一項に記載の電気コネクタを備える。
【００３２】
本発明について、添付の概略的な図面を参照する例示的な実施形態を使用して、以下により詳細に説明する。添付の図面は、原寸に比例しない。図の説明（以下参照）、参照記号の一覧、特許請求の範囲、および図面の各図では、同一、一義、または類似の設計および／または機能を有する部分、要素、構造部分、ユニット、図、および／または構成要素は、同じ参照記号によって識別される。本発明の説明（上記参照）で説明しない可能な代替手段、定常状態および／もしくは運動状態の逆転、組合せなどは、本発明の例示的な実施形態に関して図面に示されておらず、かつ／もしくは排他的でなく、またはその構成要素、方式、ユニット、構造部分、要素、もしくは部分は、参照記号の一覧および／もしくは図の説明からさらに導出することができる。
【００３３】
本発明の場合、特徴（部分、要素、構造部分、ユニット、構成要素、機能、サイズなど）は、正、すなわち存在として、または負、すなわち不在として構成することができ、負の特徴は、本発明によってそれが不在であることが重要視されない場合、特徴として明示的に説明されず、したがって実際になされた発明は、その特徴を省略することを含む。本明細書（説明、参照記号の一覧、特許請求の範囲、図面）の特徴は、指定された形で適用することができるだけでなく、別の形（分離、要約、置換え、追加、独自、省略など）で適用することもできる。特に、説明、参照記号の一覧、特許請求の範囲、および／または図面において、これに付随する参照記号および特徴またはその逆を使用することによって、特許請求の範囲および／または説明において特徴の置換え、追加、または省略を行うことが可能である。さらにその結果、特徴について特許請求の範囲でより詳細に説明および／または指定することができる。
【００３４】
本説明の特徴はまた、任意選択の特徴であると解釈することができ（（広く知られていない）従来技術を考慮する）、すなわちすべての特徴が、任意選択の、任意の、または好ましい特徴、すなわち非制限的な特徴であると理解することができる。したがって、おそらくはその周辺部を含む特徴を例示的な実施形態から切り離すことが可能であり、次いでこの特徴は、概略化された本発明の概念に変換可能である。例示的な実施形態における特徴の不在（負の特徴）は、その特徴が本発明に対して任意選択であることを示す。さらに、特徴に対する種類を表す用語の場合、これに沿って特徴に対する総称を読み取ることもでき（おそらくは、亜属へのさらなる階層的な分類など）、その結果、たとえば均等の作用および／または等価性を考慮して、ある特徴またはこの特徴の概略化が可能になる。
【００３５】
本発明について、好ましい例示的な実施形態を使用して以下により詳細に説明する。図面は概略図である。
【図面の簡単な説明】
【００３６】
【図１】本発明による電気コネクタの断面図である。
【図２】図１からの切抜きＡの詳細図である。
【発明を実施するための形態】
【００３７】
本発明について、電気コネクタ１００の例示的な実施形態を使用して以下により詳細に説明する。本発明について好ましい例示的な実施形態によってより綿密かつ詳細に説明および図示するが、本発明はこのようにしてこの開示の例示的な実施形態に限定されるものではなく、開示の例示的な実施形態は基本的性質である。本発明の保護範囲から逸脱することなく、本章および／または上記（本発明の説明）から他の変形例を導出することができる。したがって、本発明は、自動車産業において、または流体工学または電気工学産業などの非自動車産業、非常に概略的には工学において、他の電気コネクタにも適用可能である。
【００３８】
図面では、本発明の理解に必要な本発明の主題の空間的部分のみを示す。コネクタおよび嵌合コネクタ、接続デバイスおよび嵌合接続デバイスなどの名称は、同義語であり、すなわちいずれの場合も任意選択で相互に交換可能であると解釈されたい。
【００３９】
図１に、例示的な電気コネクタ１００の概略図、部分的には断面図が示されており、この場合はヘッダ１００として形成されている。電気コネクタ１００はベース体１１０を有し、ベース体１１０には、ベース体１１０の第１の表面１１２からベース体１１０の第２の表面１１４の方向に延びる複数の受取り開口１５０が設けられている。さらに、電気コネクタ１００は、ベース体の受取り開口１５０に挿入された複数の異なるタイプのコンタクト素子１４０を有する。
【００４０】
受取り開口１５０と境界を接する領域には、ベース体１１０の第１の表面１１２に当接する封止マット１３０が配置される。基本的に、封止マット１３０は、コンタクト素子１４０によって穿孔される前に、ベース体１１０の受取り開口１５０と境界を接する領域内に連続面を有することが有利である。この結果、少なくとも１つのコンタクト素子１４０による穿孔中に、特に密接な封止接続が得られる。さらに、この手順には最小限の時間だけがかかり、従来技術で必要とされる注封化合物の処理が不要になる。
【００４１】
別法として、コンタクト素子１４０の挿入前、封止マット１３０は、ベース体１１０の受取り開口１５０と境界を接する領域内で事前穿孔することができ、事前穿孔された孔のそれぞれの直径は、この領域内で穿孔されるべきコンタクト素子１４０のそれぞれの直径より小さい。これについて、例示的な図では詳細に示されていない。
【００４２】
図２に示す図１からの切抜きＡの詳細図は、コンタクト素子１４０がそれぞれ、第１のコンタクト領域１４２、保持領域１４４、および保持領域１４４に隣接する第２のコンタクト領域１４６を有することを示す。図示の例示的な実施形態では、例として、コンタクト素子１４０にハーモニカ状の保持領域１４４が設けられている。
【００４３】
このようにして、第２のコンタクト領域１４６を有するベース体１１０の第１の表面１１２から開始し、封止マット１３０を通ってベース体１１０のそれぞれの対応する受取り開口１５０にコンタクト素子１４０を挿入することができ、封止マット１３０は、図示の挿入状態で少なくとも局所的にコンタクト素子１４０の保持領域１４４を密閉し、ベース体１１０の受取り開口１５０に突出する。
【００４４】
この場合、コンタクト素子１４０の挿入によって、封止マット１３０とベース体１１０との間で圧縮が生じ、ベース体１１０とコンタクト素子１４０との間に封止が得られることが有利である。
【００４５】
さらに、コンタクト素子１４０の挿入によって、ベース体１１０の受取り開口１５０の領域において、封止マット１３０とベース体１１０との間で封止マット１３０の局所的な塑性変形を得ることができ、それによってベース体１１０とコンタクト素子１４０との間の封止が改善される。
【００４６】
したがって、コンタクト素子１４０が受取り開口１５０に挿入されるにもかかわらず、封止マット１３０によって、ベース体１１０の第１の表面１１２は、ベース体１１０の第２の表面１１４に対して様々なタイプの漏れから事実上封止される。この方法は複雑ではなく迅速であり、注封化合物の処理が不要になり、ベース体１１０内でコンタクト素子１４０の確実な設置が得られる。
【００４７】
記載および図示した例示的な実施形態に加えて、特徴のさらなる変形例および組合せを含むことができるさらなる実施形態も考えられる。
【符号の説明】
【００４８】
１００  電気コネクタ
１１０  ベース体
１１２  第１の表面
１１４  第２の表面
１３０  封止マット
１４０  コンタクト素子
１４２  第１のコンタクト領域
１４４  保持領域
１４６  第２のコンタクト領域
１５０  受取り開口
【図１】
2021527309.tif 000003
【図２】
2021527309.tif 000004
【国際調査報告】
2021527309.tif 000005
2021527309.tif 000006
2021527309.tif 000007